(57)【要約】  本発明によれば、情報検索要求に応答して検索される情報文書を提供すると共に、広告主の有料化された広告情報を提供することによって情報検索を用いた広告効果を高め、低品質の広告性のある質問／回答の登録乱発を防止することができる情報広告表示方法および情報広告表示システムが提供される。本発明によれば、広告情報に対応する質問および回答を発展させ、質問及び回答をシステム運営者が最適に検査できる構造を生成することにより、広告性のある質問及び回答の登録乱発を防ぐことができる情報広告表示方法および情報広告表示システムを提供することができる。【選択図】図３
2010517132.tif 000002
【特許請求の範囲】
【請求項１】
情報文書に関する編集権限を広告主に販売するステップと、
前記編集権限を購買した広告主から質問データおよび前記質問データに対応する回答データを受信するステップと、
前記受信した質問データおよび回答データを含む情報文書を、指定されたキーワードに関連付けてデータベースに記憶するステップと、
サービスユーザが情報取引サイトで検索キーワードを入力する場合に、前記検索キーワードに対応する情報文書を前記データベースから検索するステップと、
前記検索された情報文書を前記情報取引サイト内で支援される情報検索領域に表示するステップと、
を含むことを特徴とする情報広告表示方法。
【請求項２】
前記情報検索領域は、前記質問データが表示される質問領域および前記回答データが表示される回答領域を含み、
前記検索された情報文書を表示するステップは、回答領域内の前記編集権限に基づいて指定される表示位置に前記回答データを個別に表示することを特徴とする請求項１に記載の情報広告表示方法。
【請求項３】
表示許容基準を生成するステップをさらに含み、
前記検索された情報文書を表示するステップは、前記情報文書の質問データまたは回答データが前記表示許容基準を満たす場合に限って前記情報文書を表示することを特徴とする請求項１に記載の情報広告表示方法。
【請求項４】
情報取引サイトに入力された質問データを収集し、前記収集した質問データを広告主に提供するステップと、
前記広告主によって前記提供された質問データから選択された質問データに関する編集権限を前記広告主に販売するステップと、
前記編集権限を購買した前記広告主から、前記選択された質問データに対応する回答データを受信するステップと、
前記回答データを前記情報取引サイト内で支援される情報検索領域の所定の回答領域に表示するステップと、
を含むことを特徴とする情報広告表示方法。
【請求項５】
前記回答データを表示する前記ステップは、
前記編集権限によって指定される回答領域内の表示位置に前記回答データを個別に表示することを特徴とする請求項４に記載の情報広告表示方法。
【請求項６】
表示許容基準を生成するステップをさらに含み、
前記回答データを表示する前記ステップは、
前記情報文書の前記質問データまたは前記回答データが前記表示許容基準を満たす場合に限って前記情報文書を表示することを特徴とする請求項１に記載の情報広告表示方法。
【請求項７】
前記販売するステップは、
前記広告主から前記回答データの入力位置または支払い金額に関する情報を受信するステップと、
前記受信された入力位置または支払い金額に基づいて広告主を選別するステップと、
前記選別された広告主に前記編集権限を販売するステップと、
を含むことを特徴とする請求項１または４に記載の情報広告表示方法。
【請求項８】
前記選別するステップは、
それぞれの入力位置に広告主を分類するステップと、
分類された広告主のそれぞれに関して、前記支払い金額に基づいてレベル順位を決定するステップと、
を含み、
前記販売するステップは、
回答領域内の前記決定されたレベル順位に基づいて割り当てられる表示位置に、対応する広告主の回答データを表示するように設計される編集権限を販売することを特徴とする請求項７に記載の情報広告表示方法。
【請求項９】
前記選択するステップは、
それぞれの入力位置に広告主を分類するステップと、
分類された広告主のそれぞれに関して、前記支払い金額に基づいてレベル順位を決定するステップと、
前記決定されたレベル順位以内の広告主を選別するステップと、
を含み、
前記販売するステップは、
前記選別された広告主の回答データを、回答領域内の任意の表示位置に表示するように設計される編集権限を販売することを特徴とする請求項７に記載の情報広告表示方法。
【請求項１０】
前記選別するステップは、
それぞれの入力位置に広告主を分類するステップと、
分類された広告主のそれぞれに関して、所定のアルゴリズムに基づいてレベル順位を決定するステップと、
を含み、
前記販売するステップは、
回答領域内の前記決定されたレベル順位に基づいて割り当てられる表示位置に、対応する広告主の回答データを表示するように設計される編集権限を販売することを特徴とする請求項７に記載の情報広告表示方法。
【請求項１１】
前記選別するステップは、
前記広告主から回答領域内の表示位置の指定に関する情報を受信するステップと、
同じ前記入力位置を入力しまたは同じ前記表示位置を指定する広告主を分類するステップと、
前記分類された広告主のうちで最高の支払い金額を入力した広告主を選別するステップと、
を含み、
前記販売するステップは、
前記選別された広告主の回答データを回答領域内の指定された表示位置に表示するように設計される編集権限を販売することを特徴とする請求項７に記載の情報広告表示方法。
【請求項１２】
前記回答領域の所定の一行回答領域は、回答データに対する大きさ制限情報を含み、
前記選別するステップは、
前記入力位置に関する情報として一行回答領域が受信された広告主を一行回答グループに分類するステップと、
前記分類された広告主のそれぞれに関して、前記支払い金額に基づいてレベル順位を決定するステップと、
を含み、
前記販売するステップは、
前記一行回答領域内の前記決定されたレベル順位に基づいて割り当てられる表示位置に、前記大きさ制限情報を満たす前記広告主の回答データを表示するように設計される編集権限を販売することを特徴とする請求項７に記載の情報広告表示方法。
【請求項１３】
前記販売するステップは、
前記一行回答グループに分類された前記広告主の前記回答データを、前記編集権限を購買していないその他の広告主の回答データよりも前記一行回答領域内の上位の表示位置に表示するように設計される編集権限を販売することを特徴とする請求項１２に記載の情報広告表示方法。
【請求項１４】
前記販売するステップは、
前記広告主に前記一行回答領域に関する管理能力を割り当てるように設計される前記編集権限を販売するステップ、
を含み、
前記管理能力は、前記一行回答領域における前記編集権限を購買しない広告主の回答データの表示を制限する能力を含むことを特徴とする請求項１２に記載の情報広告表示方法。
【請求項１５】
前記回答データの表示または前記表示された回答データに対するサービスユーザのクリックに基づいて前記広告主に広告費を課金するステップ、
をさらに含み、
前記広告費は、前記広告主が入力した支払い金額に基づいて計算されることを特徴とする請求項１または４に記載の情報広告表示方法。
【請求項１６】
前記回答データは、前記広告主へアクセスするためのリンク情報、関連する商品の購買のためのショッピングモールリンク情報、および前記商品の販売促進のための広告情報のうちの少なくとも１つを含むことを特徴とする請求項１または４に記載の情報広告表示方法。
【請求項１７】
前記編集権限を購買した広告主の前記質問データおよび回答データを、前記情報取引サイト以外の所定のサイトの検索領域に表示するステップ、
をさらに含むことを特徴とする請求項１または４に記載の情報広告表示方法。
【請求項１８】
請求項１〜６および請求項８〜１４のいずれか一項に記載の方法を実行させるためのプログラムを記録したコンピュータ読み取り可能な記録媒体。
【請求項１９】
情報文書に関する編集権限を広告主に販売するように構成された権限販売モジュールと、
前記編集権限を購買した前記広告主から質問データおよび前記質問データに対応する回答データを受信するように構成された質問−回答収集モジュールと、
前記質問データおよび前記回答データを含む情報文書を、指定されたキーワードに関連付けて記憶するように構成されたデータベースと、
情報取引サイトでサービスユーザが検索キーワードを入力する場合に、前記検索キーワードに対応する情報文書を前記データベースから検索するように構成された文書検索モジュールと、
前記検索された情報文書を情報取引サイト内で支援される情報検索領域に表示する文書表示モジュールと、
を備えることを特徴とする情報広告表示システム。
【請求項２０】
前記権限販売モジュールは、（ａ１）前記広告主から前記回答データの入力位置または支払い金額に関する情報を受信し、（ａ２）前記受信された入力位置または支払い金額に基づいて広告主を選別し、（ａ３）前記選別された広告主に前記編集権限を販売することを特徴とする請求項１９に記載の情報広告表示システム。
【請求項２１】
前記回答領域内の所定の一行回答領域は、回答データに関する大きさ制限情報を含み、
前記権限販売モジュールは、（ｂ１）前記広告主から前記回答データの入力位置または支払い金額に関する情報を受信し、（ｂ２）前記入力位置に関する情報として前記広告主から一行回答を受信する場合、前記広告主を一行回答グループとして分類し、前記分類された広告主それぞれに関して、前記入力された支払い金額によってレベル順位を決定し、（ｂ３）前記大きさ制限情報を満す前記広告主の前記回答データを、前記一行回答領域内の前記決定されたレベル順位に基づいて割り当てられる表示位置に表示するように設計される編集権限を販売することを特徴とする請求項１９に記載の情報広告表示システム。
【請求項２２】
前記権限販売モジュールは、前記一行回答グループに分類された前記広告主の回答データを、前記編集権限を購買しない広告主の回答データよりも前記一行回答領域内の上位の表示位置に表示するように設計される編集権限を販売することを特徴とする請求項２１に記載の情報広告表示システム。
【請求項２３】
前記権限販売モジュールは、前記一行回答領域に関する管理能力を前記広告主に割り当てるように設計される前記編集権限を販売し、
前記管理能力は、前記一行回答領域における前記編集権限を購買しない広告主の回答データの表示を制限する能力を含むことを特徴とする請求項２１に記載の情報広告表示システム。
【発明の詳細な説明】
【技術分野】
【０００１】
本発明は、情報検索要求に応答して検索される情報文書を提供すると共に広告主の有料広告情報を提供することによって情報検索を用いた広告効果を高め、低品質の広告質問／回答の登録乱発を防止することができる情報広告表示方法および情報広告表示システムに関する。
【背景技術】
【０００２】
インターネットなどの通信網の発達と共に、多様な情報の交流が通信網を介して活発に行われている。特に、商品またはサービスなどに関してインターネットユーザ間の情報を交換する情報サービスは、広告主の主要なマーケティング目標となっていることは周知の事実である。
【０００３】
このような情報サービスは、所定の質問者が入力した質問情報に対応して不特定人の回答情報が提供されるようにするものです。一般に質問情報は、商品またはサービスに関する質問情報である。これにより、広告主は、商品またはサービスに関する質問情報に対する回答情報をマーケティング道具として用い、自身の商品を販売促進する手段として利用する場合が多い。
【０００４】
しかし、広告情報を含んだ低品質の回答情報を規制し、一定品質以上の広告情報のみが回答情報として登録されるようにするなどの情報サービスが皆無の状態であった。従って、これを悪用した広告主が回答情報として過度に誇張した広告情報を登録する場合、従来の情報サービスでは善意の質問者が犠牲者になってしまう可能性がある。
【０００５】
したがって、単純な質問−回答情報のみを提供する現存の情報検索サービスをより優れたものにでき、それによって一定品質以上の回答情報のみが表示されるようにし、サービスユーザに実質的に必要とされる商品またはサービスに対する情報が提供されるようにする新たな形態の情報広告表示モデルの登場が求められている。
【発明の開示】
【発明が解決しようとする課題】
【０００６】
本発明は、上述したような問題点を解決するために案出されたものであって、広告情報に対する質問及び回答を発展させ（ｄｅｖｅｌｏｐ）、広告情報に対する質問及び回答をシステム運営者が最適に検査できる構造を生成することにより、広告性のある質問及び回答の登録乱発を防ぐことができる情報広告表示方法および情報広告表示システムを提供することを目的とする。
【０００７】
また、本発明は、最も効果が良い回答領域内の最上位の表示位置にシステム運営者によって検証された回答のみが表示されるようにでき、情報文書の品質を向上させることができる情報広告表示方法および情報広告表示システムを提供することを目的とする。
【０００８】
また、本発明は、正式に購買した質問及び回答を含む情報文書に対する編集権限を選別された広告主に割り当てることにより、広告主と情報サービスユーザとの間のコミュニケーション・ツールを提供し、良質の情報サービスが提供されるようにできる情報広告表示方法および情報広告表示システムを提供することを目的とする。
【０００９】
また、本発明は、編集権限を購買した広告主に一行回答領域に登録される各種広告性のある一行回答データを制御して管理できる権限を割り当てることにより、一行回答データの登録乱発を防ぐことができる情報広告表示方法および情報広告表示システムを提供することを目的とする。
【００１０】
さらに、本発明は、正式に購買した質問及び回答からなる情報文書に多様な付加情報を提供できるようにし、サービスユーザが情報サービスを使用して好奇心を満足させ、進んで直接的な商取引や商品購買などにアクセスすることができる情報広告表示方法および情報広告表示システムを提供することを目的とする。
【課題を解決するための手段】
【００１１】
本発明の一実施形態に係る情報広告表示方法は、情報文書に対する編集権限を広告主に販売するステップと、前記編集権限を購買した広告主から質問データおよび前記質問データに対応する回答データを受け取るステップと、前記入力された質問データおよび回答データを含む情報文書を指定されたキーワードに関連付けてデータベースに記憶するステップと、情報取引サイトでサービスユーザが検索キーワードを入力することにより、前記検索キーワードに対応するキーワードの情報文書を前記データベースから検索するステップと、前記検索された情報文書を前記情報取引サイト内で支援される情報検索領域に表示させるステップとを含むことを特徴とする。
【００１２】
また、本発明の他の実施形態に係る情報広告表示方法は、情報取引サイトに入力される質問データを収集するステップと、前記収集された質問データを広告主に提供するステップと、前記提供された質問データのうちで前記広告主によって選択された質問データに対する編集権限を前記広告主に販売するステップと、前記編集権限を購買した広告主から前記選択された質問データに対応する回答データを受信するステップと、前記入力された回答データを前記情報取引サイト内で支援される情報検索領域の所定の（ｐｒｅｄｅｔｅｒｍｉｎｅｄ）回答領域に表示させるステップと、を含むことを特徴とする。
【発明の効果】
【００１３】
本発明によれば、広告情報に対する質問及び回答を発展させ、広告情報に対する質問及び回答をシステム運営者が最適に検査できる構造を生成することにより、広告性のある質問及び回答の登録乱発を防ぐことができる情報広告表示方法および情報広告表示システムを提供することができる。
【００１４】
また、本発明によれば、最も効果が良い回答領域内の最上位の表示位置にシステム運営者によって検証された回答のみが表示されるようにでき、情報文書の品質を向上させることができる情報広告表示方法および情報広告表示システムを提供することができる。
【００１５】
また、本発明によれば、正式に購買した質問及び回答を含む情報文書に対する編集権限を選別された広告主に割り当てることにより、広告主と情報サービスユーザとの間のコミュニケーション・ツールを提供し、良質の情報サービスが提供されるようにできる情報広告表示方法および情報広告表示システムを提供することができる。
【００１６】
また、本発明によれば、編集権限を購買した広告主に一行回答領域に登録される各種広告性のある一行回答データを制御して管理できる権限を割り当てることにより、一行回答データの登録乱用を防ぐことができる情報広告表示方法および情報広告表示システムを提供することができる。
【００１７】
さらに、本発明によれば、正式に購買した質問及び回答の情報文書に多様な付加情報を提供できるようにし、サービスユーザが情報サービスを用いて好奇心を満足させ、進んで直接的な商取引や商品購買などにアクセスすることができる情報広告表示方法および情報広告表示システムを提供することができる。
【図面の簡単な説明】
【００１８】
【図１】本発明の一実施形態に係る情報文書の一例を示す図である。
【図２】本発明の一実施形態に係る情報広告表示システムの概略的な動作を説明するための図である。
【図３】本発明の一実施形態に係る情報広告表示システムを示す構成図である。
【図４】本発明の一実施形態における情報取引サイトで支援する情報検索領域の一例を説明する図である。
【図５】本発明の一実施形態における支払い金額の大きさによって広告主に販売する編集権限を決定する一例を説明するためのフローチャート図である。
【図６】本発明の一実施形態におけるローリングによって広告主に販売する編集権限を決定する一例を説明するためのフローチャート図である。
【図７】本発明の一実施形態におけるアルゴリズムによって広告主に販売する編集権限を決定する一例を説明するためのフローチャート図である。
【図８】本発明の一実施形態における固定位置入札に基づいて広告主に販売する編集権限を決定する一例を説明するためのフローチャート図である。
【図９】本発明の一実施形態に係る情報広告表示方法を具体的に示すフローチャート図である。
【図１０】本発明の他の実施形態に係る情報広告表示方法を具体的に示すフローチャート図である。
【発明を実施するための形態】
【００１９】
以下、添付の図面を参照しながら、本発明の情報広告表示方法および情報広告表示システムについて説明する。ただし、本発明が実施形態によって制限または限定されることはない。各図面に示される同じ参照符号は同じ部材を示す。
【００２０】
本明細書を通して用いられる「情報文書」という用語は、サービスユーザの情報検索要求に応答して検索される結果情報の一種であり、質問データと質問データに対応する回答データとを含んで構成することができる。
【００２１】
情報文書を構成する回答データには、サービスユーザが入力した検索キーワードまたはサービスユーザが直接登録した質問データに関する広告主の広告情報を含むことができ、広告主または広告主の商業アイテムを販売促進するマーケティング道具として用いることができる。回答データには、販売促進のための広告情報だけではなく、例えば、サービスユーザと広告主間を接続するためのネットワークアドレス情報、商品に対する購買手順が実行されるようにするショッピングモールリンク情報、商品の説明のためのテキスト／イメージ情報、バナー情報などを含むことができる。
【００２２】
すなわち、本発明における情報文書は、質問と回答で構成される情報サービスにおいて、特定の広告主の広告が質問または回答を使用してサービスユーザに表示されるようにする情報の総称を意味する。
【００２３】
このような情報文書のタイプとしては、（ａ）サービスユーザが質問データを登録し、これに対応する回答データを広告主が入力する問答タイプ、（ｂ）質問データおよびこれに対応する回答データを広告主がすべて登録してデータベースに保持しておき、情報検索要求に応じてそのデータがサービスユーザに提供されるようにする検索タイプ、（ｃ）回答データのうちで大きさの制限によって限定した容量の大きさ以内でのみ登録される一行回答データを含む一行回答タイプなどがある。
【００２４】
以下、図１を参照しながら、広告主によって登録される情報文書について説明する。
【００２５】
図１は、本発明の一実施形態に係る情報文書の一例を示す図である。
【００２６】
図１では、上述した情報文書の多様な類型のうち、質問データ１００および一行回答データ１２０を含む回答データを含んで構成される上述した（ｃ）一行回答タイプの情報文書を例示している。
【００２７】
情報文書において、一行回答データ１２０を除いた回答データ（以下、「主要回答データ」１１０と称する）および質問データ１００は、広告主が予め作成して登録したものとすることができる。一行回答データ１２０は、広告主だけでなく、その他の広告主または回答者によって登録されてもよい。
【００２８】
例えば、サービスユーザが質問データ１００を登録する場合、情報文書の主要回答データ１１０または一行回答データ１２０は、複数の広告主によって登録されてもよい。
【００２９】
上述したように、主要回答データ１１０には、広告主への接続のためのリンク情報や商品販売促進のための広告情報などを含むことができ、これと同時に主要回答データ１１０に含まれる内容に関する商品の購買のためのショッピングモールリンク情報を含むこともできる。ここで、ショッピングモールリンク情報は、該当の商品を販売するショッピングモールへサービスユーザがアクセスするための機能を含んでもよいし、または情報サービスが提供される情報取引サイト自体で該当の商品に対する購買手順がページの転換なく実行されるようにする機能とすることもできる。    
【００３０】
一行回答データ１２０は、広告主によって、大きさ制限情報を有する一行領域に登録される回答データの一種を意味し、例えば、制限された文字数範囲内で商品に対する簡略な紹介や販売促進に関する情報を含む回答データ１２０がある。
【００３１】
図１を参照すると、質問データ「お勧めのＰＭＰを教えてください」に対し、情報文書は、例えば広告主「ｃｈｄｐｇ」および「ｓｈａｏｒｉｎ」を含んだ複数の広告主が登録した主要回答データ１１０と、例えば広告主「ｇｏａｗｉｎ」および「ｋｉｎｓ３７９」を含んだ複数の広告主が登録した一行回答データ１２０を含んでいる。広告主「ｃｈｄｐｇ」が登録した主要回答データ１１０には、広告主「ｃｈｄｐｇ」が運営するウェブサイトに関するリンク情報「ｈｔｔｐ：／／ｗｗｗ．ｉ−ｓｔａｔｉｏｎ」が含まれ、広告主「ｓｈａｏｒｉｎ」が登録した主要回答データ１１０には、商品「ＭＡＸＩＡＮ  ＰＭＰ  Ｔ６００」の購買のためのショッピングモールリンク情報が含まれる。このような条件下で情報文書がサービスユーザに表示され、サービスユーザがリンク情報またはショッピングモールリンク情報をクリックするとき、本発明の一実施形態に係る情報広告表示システムは、サービスユーザを広告主「ｃｈｄｐｇ」と接続し、広告主「ｓｈａｏｒｉｎ」が広報した商品「ＭＡＸＩＡＮ  ＰＭＰ  Ｔ６００」に対する購買手順が実行されるようにできる。
【００３２】
回答データの登録において、本情報広告表示システムは、編集権限を購買した広告主に限って回答データの入力が許可されるようにでき、広告性のある回答データが登録乱発されることを抑制することができる。すなわち、本情報広告表示システムは、回答データ登録に対して課金し、所定の登録手順を用いて登録された一定品質以上の回答データのみを許可するようにする。
【００３３】
編集権限は、広告主が自身の回答データを表示させることができる回答領域または回答領域内の表示位置を指定することにより、多様な要素を考慮して広告主に購買されるようにできる。本実施形態によれば、広告主が入力した入力位置または支払い金額に基づいて、広告主の回答データが表示される回答領域内の表示位置を指定する編集権限を販売することが可能になる。
【００３４】
例えば、広告主「ｃｈｄｐｇ」が質問データ「お勧めのＰＭＰを教えてください」に対応する回答データを登録するために、入力位置「主要回答領域１」と支払い金額「１，０００ウォン」を入力する場合、情報広告表示システムは、広告主「ｃｈｄｐｇ」に主要回答領域内の表示位置のうちで支払い金額「１，０００ウォン」に対応する表示位置に広告主「ｃｈｄｐｇ」の主要回答データ１１０が表示されるようにする編集権限を販売することができる。このとき、情報広告表示システムは、広告主「ｃｈｄｐｇ」が入力した支払い金額「１，０００ウォン」と、同じ質問データに対して同じ主要回答領域で回答データを入力しようとする他の広告主「ｓｈａｏｒｉｎ」の支払い金額「９００ウォン」を比較することにより、各広告主に販売される編集権限が指定する表示位置を決定することができる。図１では、支払い金額比較方式に従い、より高い支払い金額を入力した広告主「ｃｈｄｐｇ」に、主要回答領域の最上位の表示位置に主要回答データを表示させることができる編集権限を販売することが示されている。
【００３５】
また他の例として、広告主「ｇｏａｗｉｎ」が、質問データ「お勧めのＰＭＰを教えてください」に対応する回答データを登録するために、入力位置「一行回答領域」と所定の額の支払い金額を入力する場合、情報広告表示システムは、広告主「ｇｏａｗｉｎ」に一行回答領域で大きさ制限を有する一行回答データ１２０を表示できるようにする編集権限を販売することができる。編集権限を購買した広告主「ｇｏａｗｉｎ」に、自身の一行回答データが予め設けられた一行回答領域の最上位の表示位置で表示されるようにする権限を割り当てることができる。この場合、編集権限はチケットタイプとして販売されてもよい。
【００３６】
特に、本発明において、一行回答領域に一行回答データを登録することができる編集権限を有する広告主には、一行回答領域に入力されるその他の広告主または回答者の一行回答データに対する管理能力が割り当てられるようにでき、一行回答データの誤用を防ぐことができる。例えば、一行回答領域に対する編集権限を購買した広告主「ｇｏａｗｉｎ」には、以後に一行回答領域に入力された広告主「ｋｉｎｓ３７９」の一行回答データを「削除」処理することができる管理能力を割り当てることができる。
【００３７】
本発明の他の実施形態によれば、情報広告表示システムは、広告主「ｇｏａｗｉｎ」が入力した支払い金額と、同じ質問データに対して同じ一行回答領域で回答データを入力しようとする他の広告主「ｋｉｎｓ３７９」の支払い金額とを比較することにより、各広告主に販売される編集権限が指定する表示位置を決定することができる。図１では、支払い金額の額に応じて、一行回答領域内の表示位置を順に指定する編集権限を販売することを例示する。
【００３８】
図２は、本発明の一実施形態に係る情報広告表示システム２００の概略的な動作を説明するための図である。
【００３９】
広告主２３０は、質問データ１００と、広告情報を含み質問データ１００に対応する回答データを含む情報文書を登録する。サービスユーザ２２０の情報検索要求に応じて生成される検索結果として、広告主２３０は、情報文書を、情報広告表示システム２００を介してサービスユーザ２２０に提供する。例えば、図１の情報文書は、「お勧めのＰＭＰを教えてください」という質問データ１００および「デジタルキューブの「４３」をお勧めします。」という広告情報を含んだ主要回答データ１１０などを含んで構成することができる。このような情報文書をサービスユーザ２２０に提供することにより、広告主２３０は、自身の広告情報をサービスユーザ２２０に対して表示させるという広告効果を得ることができる。
【００４０】
また、広告主２３０は、サービスユーザ２２０が情報取引サイト２１０に登録した質問データ１００に対する回答データのみを入力して情報文書を登録することもできる。情報広告表示システム２００は、サービスユーザ２２０の情報検索要求に応答し、入力される検索キーワードと関連度が高い情報文書を提供し、これを介して広告主２３０と関連する広告情報をサービスユーザ２２０に表示させて広告効果が達成される。検索キーワードと関連度が高い情報文書を識別する技法として公知の多様な方式を用いることができるが、本実施形態では、情報検索要求のためにサービスユーザ２２０が入力した検索キーワードと情報文書の登録時に広告主２３０が購買したキーワードとのマッチング程度を活用して、検索結果として情報文書を識別することができる。
【００４１】
情報取引サイト２１０は、サービスユーザ２２０と広告主２３０、またはサービスユーザ２２０と回答者２４０間の質問−回答を用いた情報サービスを提供する役割をする。例えば、情報取引サイト２１０は、サービスユーザ２２０から検索キーワードを受け取り、検索キーワードに対応して本発明の情報広告表示システム２００でサーチした情報文書をサービスユーザ２２０に提供することができる。また、情報取引サイト２１０は、サービスユーザ２２０からの質問データ１００を受信し、所定のデータベースに記録、保持する。情報取引サイト２１０は、情報取引サイト２１０に接続する広告主２３０または回答者２４０に質問データを収集して提供することもできる。情報取引サイト２１０は、提供された質問データ１００に対応する回答データを広告主２３０または回答者２４０から受信する。ここで、広告主２３０とは、質問データに対する回答データに広告情報を含ませて登録する情報サービスユーザを意味し、回答者２４０とは、広告情報を除く回答データを登録する一般的な情報サービスユーザを意味する。
【００４２】
すなわち、情報取引サイト２１０は、情報サービスを使用するユーザからの質問データ１００または回答データを受信し、情報検索要求に対応する検索結果として情報文書をサービスユーザ２２０に提供する役割をする。これにより、サービスユーザ２２０は、登録した質問データに対応する回答データを受信することができ、また直接質問データを登録しなくても、自身が探そうとする質問と類似した情報文書を検索することができる。
【００４３】
サービスユーザ２２０とは、情報広告表示システム２００と接続するためのユーザ端末機を保有し、ユーザ端末機を用いて質問タイプで情報取引サイト２１０のサービスユーザ２２０のクエリーに入力し、情報検索要求を生成する検索キーワードを入力するインターネットユーザを意味する。
【００４４】
サービスユーザ２２０は、前もって登録された情報文書に対する情報検索のために検索キーワードを情報取引サイト２１０に入力するインターネットユーザ、または質問データとして情報取引サイト２１０のサービスユーザ２２０のクエリーに登録し他の広告主２３０または回答者２４０からの回答データのために待機するインターネットユーザに区分することができる。
【００４５】
広告主２３０とは、ネットワークアドレス、例えば、インターネット・プロトコル（ＩＰ）アドレス、ユニバーサル・リソース・ロケーター（ＵＲＬ）、ドメインなどによってネットワーク上の位置が識別される商業的ウェブサイトを運営する商品販売者を意味することができ、例えば、商業的ウェブサイトで販売される商品と関連する広告情報を含む回答データを、所定の質問データに対応して情報取引サイト２１０に入力することができる。
【００４６】
回答者２４０とは、サービスユーザ２２０が登録した質問データに対する広告情報を除外した回答データを入力する一般的な情報サービスユーザを意味する。
【００４７】
情報広告表示システム２００は、情報検索要求のために入力される検索キーワードと一致する情報文書を検索結果としてサービスユーザ２２０に提供することにより、情報文書の回答データに含まれた広告情報をサービスユーザ２２０に提供する。特に、本発明の情報広告表示システム２００は、質問データに対応する回答データの入力権限が特定の広告主２３０にのみ割り当てられるようにし、広告効果が一定に保証される回答領域内の表示位置に広告主２３０の回答データが表示されるようにすることにより、広告主２３０に最大限の広告効果を保証し、従来の低品質の広告性のある質問及び回答の登録乱発を防止することができる。以下、図３を参照しながら、本発明の情報広告表示システムの具体的な構成について説明する。
【００４８】
図３は、本発明の一実施形態に係る情報広告表示システム３００を示す構成図である。情報広告表示システム３００は、権限販売モジュール３１０と、質問−回答収集モジュール３２０と、データベース３３０と、文書検索モジュール３４０と、文書表示モジュール３５０とを備える。権限販売モジュール３１０は、情報文書に対する編集権限を広告主２３０に販売する。ここで、編集権限とは、情報文書を構成する質問データ１００、主要回答データ１１０、一行回答データ１２０などを入力することができる権限、入力した回答データを指定された回答領域または回答領域内の表示位置に表示されるようにする権限、一行回答領域に登録されるその他の広告主／回答者２４０の一行回答データ１２０を管理することができる権限などを意味する。すなわち、権限販売モジュール３１０は、情報サービスを使用する広告主２３０の情報文書登録によって所定の額の支払いを受け取る。そしてその対価として権限販売モジュール３１０は、該当の広告主２３０に特定能力を割り当てることにより、情報サービスの質的向上および低品質の広告性のある質問及び回答の登録が減少するようにすることができる。
【００４９】
このような編集権限は、所定の手順を介して選別される広告主２３０に独占的に販売することができ、本システムの運営者が設定した回答領域内の表示位置毎の支払いを満たす広告主２３０や、特定回答領域または、回答領域内の表示位置に回答データの表示を所望する複数の広告主２３０間の支払い金額比較に基づいて選別される広告主２３０に販売することができる。図４を参照しながら、情報文書が表示される情報検索領域について説明する。
【００５０】
図４は、本発明の一実施形態に係る情報取引サイトで支援する情報検索領域の一例を説明する図である。情報サービスを提供する情報取引サイト２１０は情報検索領域４００を支援し、情報検索領域４００に質問データ１００および質問データ１００に対応する回答データを含む情報文書を表示することにより、サービスユーザ２２０に広告主２３０の広告情報を問答タイプで表示されるようにする。
【００５１】
情報検索領域４００は、サービスユーザ２２０または広告主２３０によって入力された質問データ１００を表示する質問領域４１０と、広告主２３０によって入力され質問データ１００に対応する回答データを表示させる回答領域４２０を含む。また、回答領域４２０は、表示される回答データの特徴に基づいて、主要回答領域４２１および一行回答領域４２２に区分することができる。一行回答領域４２２には大きさ制限情報が含まれ、例えば、所定の文字数以内の一行回答データ１２０が表示される。主要回答領域４２１には、質問データ１００に対応する商品に関連する広告情報や広告主２３０との接続のためのリンク情報などの多様な情報を含む主要回答データ１１０を表示することができる。
【００５２】
回答領域４２０は、少なくとも１つの表示位置に区画され、回答データはそれぞれの表示位置に独立して表示される。これにより、回答データが表示される表示位置は、広告主２３０が購買した編集権限に応じて割り当てることができる。例えば、主要回答領域４２１内の表示位置「１１番」に主要回答データ１１０を表示させようとする広告主Ａ（支払い金額５０ウォン）と広告主Ｂ（支払い金額４０ウォン）に対し、情報広告表示システム３００は、広告主Ａと広告主Ｂが入力した支払い金額の大きさを比較することによって広告主Ａを選別し、主要回答領域４２１内の表示位置「１１番」に主要回答データ１１０を表示させることに関連する編集権限を、選別された広告主Ａに割り当てることができる。
【００５３】
情報検索領域４００に含まれる領域の大きさまたは各領域内の表示位置の個数は、システム環境に基づいてシステム運営者によって柔軟に決定することが可能であり、一行回答領域４２２内の最上位の表示位置は、予め関連編集権限を購買した広告主２３０の一行回答データによって独占的に占有されてもよい。
【００５４】
情報検索領域４００が図４のように構成されるという条件下において、権限販売モジュール３１０は、広告主２３０から回答データの力位置または支払い金額に関する情報を受信する。すなわち、権限販売モジュール３１０は、広告主２３０が所望する回答領域４２０を識別するための入力位置および広告主２３０が許容する最大広告費用に関する支払い金額を広告主２３０から受信する役割を果す。
【００５５】
権限販売モジュール３１０は、入力位置または支払い金額に基づいて編集権限を販売する広告主２３０を選別し、選別された特定広告主２３０に編集権限を販売することができる。以下、図５〜８を参照しながら、権限販売モジュール３１０を用いた広告主２３０の選別過程について説明する。
【００５６】
図５は、本発明の一実施の形態において支払い金額の大きさによって広告主に販売する編集権限を決定する動作の一例を説明するためのフローチャート図である。動作ステップＳ５１０において、権限販売モジュール３１０は、各受信した入力位置に広告主２３０を分類する。本ステップＳ５１０は、広告主２３０が回答データの表示を要求する回答領域４２０に広告主２３０をグループ分けする手順である。図４に示すように、情報検索領域４００に含まれる回答領域４２０は、主要回答領域４２１および一行回答領域４２２に区分することができ、広告主２３０は、入力した回答データの特徴に基づいて、入力位置として「主要回答領域」または「一行回答領域」のいずれかを入力することができる。これにより、権限販売モジュール３１０は、広告主３１０を、「主要回答領域」を入力位置として入力した一の広告主グループ、および「一行回答領域」を入力位置として入力した別の広告主グループにグループ分けする。動作ステップ５２０において、権限販売モジュール３１０は、分類されたそれぞれの広告主２３０に対して、入力された支払い金額に基づいてレベル順位を決定する。本動作ステップＳ５２０は、グループ分けされた広告主のグループに対応して順位を割り当てる手順であり、支払い金額に基づいて降順の順位を広告主２３０に割り当てる。例えば、「主要回答領域」と関連する広告主Ａ（支払い金額５０ウォン）と広告主Ｂ（支払い金額４０ウォン）に対して、権限販売モジュール３１０は、支払い金額の大きさが相対的に大きい広告主Ａにレベル順位１位を、広告主Ｂにレベル順位２位を割り当てることができる。
【００５７】
動作ステップＳ５３０において、権限販売モジュール３１０は、決定されたレベル順位に基づいて割り当てられる回答領域内の表示位置に対応する広告主２３０の回答データが表示されるように設計する編集権限を販売する。本ステップＳ５３０は、レベル順位によって広告主２３０を選別し、レベル順位によって選別された広告主２３０に編集権限を販売する手順である。例えば、主要回答領域４２１に登録することができる回答データの最大個数が２つである場合、権限販売モジュール３１０は、広告主Ａをレベル順位１位および広告主Ｂをレベル順位２位として選別し、広告主Ａにはレベル順位１位に割り当てられる主要回答領域４２１内の最上位の表示位置「１１番」に回答データが表示されるように設計する編集権限を、広告主Ｂにはレベル順位２位に割り当てられる主要回答領域４２１内の最上位の次の表示位置「１２番」に回答データが表示されるように設計する編集権限を販売することができる。
【００５８】
したがって、本発明によれば、相対的により高い支払い金額を入力する広告主２３０に相対的に優れた広告効果を有する回答領域４２０内の表示位置に回答データが表示されるように設計する編集権限を販売することができ、システム運営者に、広告主２３０間の競争を介してより高い収益を保証することができる。
【００５９】
図６は、本発明の一実施形態においてローリングによって広告主に販売する編集権限を決定する一例を説明するためのフローチャート図である。
【００６０】
動作ステップＳ６１０において、権限販売モジュール３１０は、各入力位置に広告主２３０を分類する。本動作ステップＳ６１０は、図５の動作ステップＳ５１０と同一あるいは類似であり、上述した例のように、権限販売モジュール３１０は、広告主２３０を、「主要回答領域」を入力位置として入力した広告主グループ、および「一行回答領域」を入力位置として入力した他の広告主グループにグループ分けすることができる。動作ステップＳ６２０において、権限販売モジュール３１０は、分類されたそれぞれの広告主２３０に対して、支払い金額に基づいてレベル順位を決定する。本動作ステップＳ６２０は、図５の動作ステップＳ５２０と同一あるいは類似であり、上述したように、「主要回答領域」と関連付けられた広告主Ａ（支払い金額５０ウォン）と広告主Ｂ（支払い金額４０ウォン）に対して、権限販売モジュール３１０は、相対的にもっとも大きい支払い金額の広告主Ａにレベル順位１位を、広告主Ｂにレベル順位２位を割り当てることができる。
【００６１】
動作ステップＳ６３０において、権限販売モジュール３１０は、所定のレベル順位以内の広告主を選別する。本動作ステップＳ６３０は、決定されたレベル順位に基づいて広告主２３０を選別する手順であり、例えば、主要回答領域４２１に登録することができる回答データの最大個数が５つである場合、権限販売モジュール３１０は、レベル順位１位として決定された広告主Ａおよびレベル順位２位として決定された広告主Ｂを含むレベル順位５位以内の広告主２３０を選別することができる。
【００６２】
動作ステップＳ６４０において、権限販売モジュール３１０は、選別された広告主の回答データが回答領域４２０内の任意の表示位置に表示されるように設計する編集権限を販売する。本動作ステップＳ６４０は、回答領域４２０内の各表示位置を指定する編集権限を提供し、編集権限に対して無作為に広告主２３０を関連付けることにより、広告主２３０に販売する編集権限を決定する手順である。
【００６３】
例えば、広告主Ａおよび広告主Ｂを含んだ５人の選択された広告主２３０に対して、権限販売モジュール３１０は、ローリングに基づき広告主２３０に無作為に編集権限を販売することができる。これにより、広告主２３０は、主要回答領域４２１内の、購買した編集権限で指定する任意の表示位置に自身の回答データを表示できるようになる。
【００６４】
したがって、本発明によれば、支払い金額とは無関係に、各広告主２３０にローリングに基づいて編集権限を無作為に割り当てることができ、広告主２３０に同等な広告効果が与えられるようにできる。また、広告主２３０間の支払い金額の入力乱発を抑制することができる。
【００６５】
図７は、本発明の一実施形態において、アルゴリズムに基づいて広告主に販売する編集権限を決定する動作の一例を説明するためのフローチャート図である。
【００６６】
動作ステップＳ７１０において、権限販売モジュール３１０は、各入力位置に広告主２３０を分類する。本動作ステップＳ７１０は、図５の動作ステップＳ５１０と同一あるいは類似であり、上述した例のように、権限販売モジュール３１０は、広告主２３０を、「主要回答領域」を入力位置として入力した広告主グループ、および「一行回答領域」を入力位置として入力した他の広告主グループにグループ分けすることができる。また、動作ステップＳ７２０において、権限販売モジュール３１０は、分類されたそれぞれの広告主２３０に対して、所定のアルゴリズムに基づいてレベル順位を決定する。本ステップＳ７２０は、グループ分けされた広告主２３０に順位を割り当てる手順である。権限販売モジュール３１０は、本システムの運営者によって選定されるアルゴリズムを適用してレベル順位を決定する。アルゴリズムは、所定期間内に特定の広告主２３０または情報文書と関連付けられて生成される実結果を分析し、広告主２３０別にレベル順位を決定するためのものである。例えば、アルゴリズムは、前１ヶ月間に広告主２３０が登録した回答データに対する信頼度、及び人気度を含んでもよい。ここで、人気度はサービスユーザ２２０とのアクセス率に基づき、信頼度はサービスユーザの評点に基づく。アルゴリズムは、システム運営者によって選定されてもよい。上述した例において、「主要回答領域」と関連してグループ分けされた広告主Ａ（人気度４０％）と広告主Ｂ（人気も５０％）に対して、権限販売モジュール３１０は、回答データのリンク情報をより多くのサービスユーザ２２０がクリックし、人気度が相対的に高い広告主Ｂにレベル順位１位を、広告主Ａにレベル順位２位割り当てることができる。動作ステップＳ７３０において、権限販売モジュール３１０は、レベル順位に基づいて割り当てられる回答領域内の表示位置に対応する広告主２３０の回答データが表示されるように設計する編集権限を販売する。本動作ステップＳ７３０は、図５のステップＳ５３０と同一あるいは類似である。上述した例のように、最大２個の回答データが主要回答領域４２１に登録される場合、権限販売モジュール３１０は、広告主Ａをレベル順位２位、広告主Ｂをレベル順位１位として選別し、広告主Ｂにはレベル順位１位に割り当てられる主要回答領域４２１内のトップの表示位置「１１番」に回答データが表示されるように設計する編集権限を、広告主Ａにはレベル順位２位に割り当てられる主要回答領域４２１内の２番目の上位の表示位置「１２番」に回答データが表示されるようにする編集権限を販売することができる。
【００６７】
したがって、本発明によれば、所定の情報サービス期間中高業績を保持する広告主２３０に、相対的に優れた広告効果を有する回答領域内の表示位置に回答データが表示されるように設計する編集権限を販売することができ、広告主２３０が良質の情報およびサービスを持続することができるようにすることが可能である。図８は、本発明の一実施形態において、位置固定入札に基づいて広告主に販売する編集権限を決定する一例を説明するためのフローチャート図である。
【００６８】
動作ステップＳ８１０において、権限販売モジュール３１０は、広告主２３０から回答領域４２０内の表示位置指定に関する情報を受信する。本ステップＳ８１０は、予め広告主２３０から回答データが表示される表示位置を受信する手順であり、広告主２３０は、マーケティング環境に基づいて自身の回答データが表示されることを要求する回答領域４２０内の表示位置を決定して指定情報を入力することができる。
【００６９】
動作ステップＳ８２０において、権限販売モジュール３１０は、同じ入力位置を受信して同じ表示位置を指定する広告主２３０を分類する。本動作ステップＳ８２０は、回答領域４２０および広告主２３０が回答データを表示することを要求する回答領域４２０内の表示位置に応じて広告主２３０をグプープ分けする手順である。例えば、権限販売モジュール３１０は、入力位置として「主要回答領域１」を、表示位置として「主要回答領域の表示位置１１番」を入力した広告主Ａおよび広告主Ｂを同じグループに分類することができる。
【００７０】
動作ステップＳ８３０において、権限販売モジュール３１０は、分類された広告主のうちで最も高い支払い金額を入力した広告主を選別する。本動作ステップＳ８３０は、特定回答領域内の特定表示位置に回答データを表示させようとする複数の広告主２３０間の支払い金額の比較によって一人の広告主２３０を選別する手順である。例えば、主要回答領域の表示位置１１番に関連する同じグループに分類された広告主Ａ（支払い金額５０ウォン）および広告主Ｂ（支払い金額４０ウォン）に対して、権限販売モジュール３１０は、グループ内の広告主２３０のうちで支払い金額が最も高い広告主Ａを選別することができる。これにより、権限販売モジュール３１０は、特定回答領域内の特定表示位置に回答データを表示させることができる権限を１人に割り当てることができる環境を生成することができる。
【００７１】
動作ステップＳ８４０において、権限販売モジュール３１０は、選別された広告主２３０の回答データが指定された表示位置に表示されるように設計する編集権限を販売する。本動作ステップＳ８４０は、選別された広告主２３０に対応する回答領域内の表示位置を指定する編集権限を販売する手順である。上述した例において、広告主Ａに、「主要回答領域の表示位置１１番」に自身の回答データが表示されるように指定する編集権限を販売することができる。
【００７２】
上述したように、本発明によれば、入札を介して特定回答領域内の表示位置別に編集権限を購買することができる広告主２３０を選別することにより、広告主２３０が所望しない表示位置に自身の回答データが表示されることを基本的に防ぐことができる。
【００７３】
上述した例では、広告主２３０は入力位置として「主要回答領域」を入力する。入力位置として「一行回答領域」が入力された場合、権限販売モジュール３１０を用いた広告主２３０選別方式は、入力位置として「主要回答領域」が入力された場合と同一あるいは類似であってもよい。この時、一行回答領域４２２は、入力された回答データ、即ち一行回答データに対する大きさ制限情報を含んでおり、これによって一行回答領域４２２と関連して広告主２３０に販売される編集権限には、広告主２３０の回答データ入力時に一行回答データの字数を制限するという機能を含んでもよい。また、権限販売モジュール３１０は、一行回答グループに分類された広告主２３０の回答データが、編集権限を購買しないその他の広告主または回答者２４０の回答データよりも一行回答領域４２２内の上位表示位置に表示されるように設計する編集権限を販売することができる。特に、編集権限は、チケットタイプとして販売することができ、編集権限を購買した広告主２３０は、一行回答領域４２２内の最上位の表示位置、即ち、表示位置「２１番」に、予め自身の回答データを表示できる。
【００７４】
また、権限販売モジュール３１０は、一行回答領域４２２に対する管理能力が広告主２３０に割り当てられるように設計する編集権限を販売することができる。これにより、一行回答領域４２２と関連する編集権限を購買した広告主２３０には、例えば、編集権限を購買しないその他の広告主または回答者２４０の回答データが一行回答領域４２２に表示されることを制限し、また、その他の広告主または回答者２４０の回答データを一行回答領域４２２から削除する能力を含む管理能力を割り当てることができる。
【００７５】
すなわち、権限販売モジュール３１０は、所定の条件を満たす広告主２３０に編集権限を販売し、その広告主２３０が広告情報を含む回答データを登録することができるようにする。
【００７６】
図３を再参照すれば、質問−回答収集モジュール３２０は、編集権限を購買した広告主２３０から質問データ１００および質問データ１００に対応する回答データを受信する。すなわち、情報文書が上述した（ｂ）の検索タイプである場合、質問−回答収集モジュール３２０は、広告主２３０から質問データ１００とこれに対応する回答データを同時に受信することができる。
【００７７】
特に、情報文書が上述した（ａ）の問答タイプである場合、質問−回答収集モジュール３２０は、情報取引サイト２１０に入力されたサービスユーザ２２０の質問データ１００を収集して広告主２３０に提供し、提供された質問データ１００から広告主２３０によって選択された質問データ１００に関する編集権限が、権限販売モジュール３１０を用いて対応する広告主２３０に販売されるようにすることができる。また、質問−回答収集モジュール３２０は、編集権限を購買した広告主２３０からの、選択された質問データ１００に対応する回答データを受信することができる。
【００７８】
すなわち、質問−回答収集モジュール３２０は、質問データ１００および質問データ１００に対応する回答データを収集する役割を果し、これによって情報文書を生成する。
【００７９】
情報文書を生成する時、質問データ１００が質問領域４１０に登録されている前提で、質問−回答収集モジュール３２０は、広告主２３０の回答データを編集権限によって指定された回答領域４１０または回答領域４１０内の表示位置に登録することができる。回答領域４１０は、主要回答領域４２１及び一行回答領域４２２を含んでもよい。データベース３３０は、上述したように質問データ１００および質問データ１００に対応する回答データを含む情報文書を指定されたキーワードに関連付けて記憶する。すなわち、データベース３３０は、情報文書に対応するキーワードを記憶する役割を果す。この時、キーワードはサービスユーザ２２０からの情報検索要求に対応して検索される特定の情報文書をもたらす。サービスユーザ２２０が、情報取引サイト２１０に検索キーワードを入力するとき、文書検索モジュール３４０は、検索キーワードに対応する情報文書をデータベース３３０から検索する。すなわち、文書検索モジュール３４０は、サービスユーザ２２０が情報サービスを用いて検索しようとする情報文書を検索する役割を果す。キーワードは、例えば、本システムの運営者または情報文書と関連付けられた広告主２３０によって選定されるものであり、文書検索モジュール３４０は、検索キーワードと部分的にまたは完全に一致する情報文書をデータベース３３０から検索することができる。
【００８０】
文書表示モジュール３５０は、検索された情報文書を情報取引サイト２１０内で支援された情報検索領域４００に表示する。すなわち、文書表示モジュール３５０は、情報サービスを用いて広告主２３０の広告情報を含んだ情報文書の回答データをサービスユーザ２２０に表示する役割を果す（図１参照）。
【００８１】
特に、文書表示モジュール３５０は、質問データ１００あるいは検索された情報文書の回答データの内容を所定の表示許容基準に従って分析し、その表示許容基準を満たす質問データ１００または回答データの情報文書のみを表示することができる。例えば、表示許容基準が「未成年に表示禁止」である場合、文書表示モジュール３５０は、所定の個人データを検証して情報検索要求を発生させたサービスユーザ２２０の年齢を識別し、対応するサービスユーザ２２０に対して情報文書が表示されないようにすることができる。
【００８２】
また、本発明の他の実施形態によれば、文書表示モジュール３５０は、編集権限を購買した広告主２３０の回答データ及び対応する質問データ１００を、情報取引サイト２１０以外の所定サイトの検索領域に表示させることができる。例えば、文書表示モジュール３５０は、質問データ１００および回答データを含む情報文書を、例えばネイバー（ｗｗｗ．ｎａｖｅｒ．ｃｏｍ）などの国内ポータル検索サイトに表示することができる。これによって、文書表示モジュール３５０は、インターネットユーザにノために、広告主２３０の広告情報を情報検索カテゴリだけでなく多様なカテゴリにおいて表示することができる。また、情報広告表示システム３００は、情報検索領域４００に情報文書の回答データを表示する場合又はサービスユーザ２００が表示された情報文書の回答データをクリックした場合に、広告主２３０に広告費を課金する課金モジュール３６０をさらに備えてもよい。特に、課金モジュール３６０は、回答データがサービスユーザ２２０に表示される毎に広告主２３０に広告費を課金するＣＰＭ（Ｃｏｓｔ  Ｐｅｒ  Ｉｍｐｒｅｓｓｉｏｎ）、または回答データに含まれるリンク情報をサービスユーザ２２０がクリックする毎に広告主２３０に広告費を課金するＣＰＣ（Ｃｌｉｃｋ  Ｐｅｒ  Ｃｏｓｔ）を採用することができる。従って広告主２３０は、広告効果に対応する広告費用のみを支払うことができる。例えば、支払い金額を「５０ウォン」と入力した広告主Ａの回答データが情報文書に含まれてサービスユーザ２２０に表示される場合、課金モジュール３６０は、回答データの表示に対する広告費を「５０ウォン」と決定してその広告主２３０に「５０ウォン」を課金することができる。または、同じ条件において、広告主Ａの表示された回答データのリンク情報をサービスユーザ２２０がクリックし、サービスユーザ２２０が広告主２３０と接続された時、課金モジュール３６０は、広告費「５０ウォン」を広告主２３０に課金することもできる。
【００８３】
したがって、本発明によれば、広告情報に関する質問及び回答を発展させ、システム運営者が質問及び回答を最適に検査できる構造を生成することにより、広告性のある質問及び回答の登録乱発を防ぐことができる。
【００８４】
また、本発明によれば、最も効果的な回答領域内の最上位の表示位置にシステム運営者によって検証された回答のみが表示されるようにでき、情報文書の品質を向上させることができる。
【００８５】
また、本発明によれば、正式に購買した質問及び回答からなる情報文書関する編集権限を選別された広告主２３０に割り当てることにより、広告主と情報サービスユーザとの間のコミュニケーション・ツールを提供し、良質の情報サービスが提供されるようにできる。また、本発明によれば、編集権限を購買した広告主２３０に一行回答領域に登録される各種広告に関する一行回答データを制御して管理できる権限を割り当てることにより、一行回答データの登録乱発を防ぐことができる。
【００８６】
さらに、本発明によれば、正式に購買した質問及び回答からなる情報文書に多様な付加情報を提供できるようにし、サービスユーザ２２０が情報サービス使用して好奇心を満足させ、直接的な商取引や商品購買などに容易にアクセスすることができる。
【００８７】
以下、本発明の一実施形態に係る情報広告表示システムについて詳しく説明する。
【００８８】
図９は、本発明の一実施形態に係る情報広告表示方法を具体的に示すフローチャート図である。本情報広告表示方法は、上述した情報広告表示システム３００によって実行される。
【００８９】
動作ステップＳ９１０において、情報広告表示システム３００は、情報文書に対する編集権限を広告主２３０に販売する。本動作ステップＳ９１０は、質問データおよび回答データを含む情報文書について、情報検索領域４００において広告主２３０の回答データが表示される位置を決定する手順である。このために、本動作ステップＳ９１０において、情報広告表示システム３００は、広告主２３０から、広告主２３０の回答データの表示に関する支払い金額または入力位置に関する情報を受信し、入力位置または支払い金額に基づいて広告主２３０を識別する。情報広告表示システム３００は、選別された広告主２３０に編集権限を販売する。
【００９０】
広告主２３０の選別において、情報広告表示システム３００は、（１）広告主２３０が入力した支払い金額に基づいて（図５の説明を参照）、（２）ローリングに基づいて（図６の説明を参照）、（３）所定のアルゴリズムに基づいて（図７の説明を参照）、（４）位置固定入札に基づいて（図８の説明を参照）、回答領域または回答領域内の各表示位置の所定の数の広告主２３０を選別することができる。特に、選別された広告主２３０に一行回答領域４２２に関連付けられて編集権限が販売される場合、広告主２３０の一行回答データ１２０が一行回答領域４２２の最上位の表示位置に予め表示されるように設計することができる。これにより、一行回答領域４２２に関する編集権限を購買した広告主２３０は、予め、自身の回答データが、広告効果が最も優れた表示位置に表示されるようにすることができる。
【００９１】
また、選別された広告主２３０に、一行回答領域４２２に関連付けて編集権限が販売される場合、一行回答領域４２２の管理能力が対応する広告主２３０に割り当てられるように設計することができる。これにより、一行回答領域４２２に関する編集権限を購買した広告主２３０は、その管理能力を活用して、一行回答領域４２２に表示するための編集権限を購買していないその他の広告主２３０または回答者２４０の回答データを制限することができる。例えば、情報広告表示システム３００は、一行回答領域４２２に関する編集権限を購買した広告主２３０に、広告主２３０の回答データ以外の他の回答データを削除するように設計された編集権限を販売することができる。
【００９２】
動作ステップＳ９２０において、情報広告表示システム３００は、編集権限を購買した広告主２３０から質問データおよび質問データに対応する回答データを受信する。ここで、回答データは、広告主２３０への接続のためのリンク情報、回答データに含まれる内容と関連する商品の購買のためのショッピングモールリンク情報、商品に関する広告情報のうちの少なくとも１つを含むことができる。すなわち、情報文書が（ｂ）の検索タイプである場合、本動作ステップＳ９２０は、広告主２３０から質問データを受信し、その後、編集権限によって指定された回答領域または回答領域内の表示位置に回答データを受信する手順である。情報文書が（ａ）の問答タイプである場合、情報広告表示システム３００は、編集権限によって指定される回答領域または回答領域内の表示位置に関連付けられたサービスユーザ２２０の質問データに対応する回答データを、広告主２３０から受信する。
【００９３】
動作ステップＳ９３０において、情報広告表示システム３００は、入力された質問データおよび回答データを含む情報文書を、指定されたキーワードに関連付けてデータベース３３０に記憶する。本動作ステップＳ９３０は、情報検索要求に応答してサービスユーザ２２０から提供される情報文書が情報文書の検索の原因となるキーワードに対応して記憶されるデータベース３３０を維持する手順である。情報文書と関連付けられたキーワードは、本システムの運営者または広告主２３０によって柔軟に決定されてもよい。
【００９４】
動作ステップＳ９４０において、情報取引サイト２１０においてサービスユーザ２２０が検索キーワードを入力するとき、情報広告表示システム３００は、検索キーワードに対応する情報文書をデータベース３３０から検索する。本動作ステップＳ９４０は、サービスユーザ２２０からの情報検索要求に応答して最適な情報文書をデータベース３３０から抽出する手順である。情報文書の検索において、情報広告表示システム３００は、検索キーワードと部分的にまたは完全に一致する情報文書を検索結果として検索することができる。
【００９５】
動作ステップＳ９５０において、情報広告表示システム３００は、検索された情報文書を情報取引サイト２１０内で支援される情報検索領域に表示させる。本動作ステップＳ９５０は、検索された情報文書を情報取引サイト２１０内で支援される情報検索領域に表示する手順であり、特に、編集権限を購買した広告主２３０の回答データを、その編集権限に基づいて指定された回答領域の表示位置に個別に表示することができる。また本動作ステップＳ９５０において、情報広告表示システム３００は、表示許容基準を検索された情報文書に適用し、情報文書の質問データまたは回答データの内容が表示許容基準を満たす場合に限って情報文書が表示されるようにすることができる。また、本動作ステップＳ９５０において、情報広告表示システム３００は、情報文書の表示または情報文書に含まれた回答データに対するサービスユーザ２２０のクリックと関連付けて広告主２３０に広告費を課金する。従って、動作ステップＳ９５０は、ＣＰＭやＣＰＣなどによって広告主２３０に広告費を課金する手順であり、情報広告表示システム３００は、広告主２３０に、得られた広告効果、例えば、サービスユーザ２２０が広告主２３０のウェブサイト／ショッピングモールサイトに実際にアクセスした回数に比例して手ごろな広告費を課金するようにできる。
【００９６】
図１０は、本発明の他の実施形態に係る情報広告表示方法を具体的に示すフローチャート図である。
【００９７】
動作ステップＳ１０１０において、情報広告表示システム３００は、情報取引サイト２１０に入力される質問データを収集して広告主２３０に提供する。本動作ステップＳ１０１０は、情報文書が（ａ）の問答タイプである場合、サービスユーザ２２０によって情報取引サイト２１０に登録された質問データを収集し、これをリスト化して広告主２３０に提供する手順である。動作ステップＳ１０２０において、情報広告表示システム３００は、提供された質問データから広告主２３０によって選択された質問データに関する編集権限を広告主２３０に販売する。本動作ステップＳ１０２０は、広告主２３０から自身の回答データと関連付けられた質問データを受信する手順であり、本動作ステップＳ１０２０において、広告主２３０は、マーケティング環境に基づいて質問データのリストから所定の質問データを指定することができる。情報広告表示システム３００は、広告主２３０によって選択された質問データに関する編集権限の販売手順を実行する。編集権限の販売手順のために、本ステップＳ１０２０において、情報広告表示システム３００は、上述したステップＳ９１０と同じように、広告主２３０から広告主２３０の回答データ表示に関する入力位置または支払い金額に関する情報を受信し、入力位置または支払い金額に基づいて選別された広告主２３０に編集権限を販売する。広告主２３０の選別に関する詳細な説明は、動作ステップＳ９１０と同じであるので、ここでは省略する。動作ステップＳ１０３０において、情報広告表示システム３００は、編集権限を購買した広告主２３０から選択した質問データに対応する回答データを受信する。本動作ステップＳ１０３０は、情報文書が（ａ）の問答タイプである場合、編集権限に基づいて指定される回答領域または回答領域内の表示位置に関してサービスユーザ２２０が入力した質問データに対応する回答データを、広告主２３０から受信する手順である。本動作ステップＳ１０３０において、情報文書が（ｂ）の検索タイプである場合、情報広告表示システム３００は、広告主２３０から質問データを受信し、編集権限に基づいて指定された回答領域または回答領域内の表示位置において回答データを受信することができる。
【００９８】
動作ステップＳ１０４０において、情報広告表示システム３００は、入力された回答データを情報取引サイト２１０内で支援される情報検索領域の所定の回答領域に表示させる。本動作ステップＳ１０４０は、編集権限に基づいて指定される回答領域内の表示位置に入力された広告主２３０の回答データを個別に表示する手順である。
【００９９】
また、本動作ステップＳ１０４０において、情報広告表示システム３００は、所定の表示許容基準を回答データに適用し、回答データの内容が表示許容基準を満たす場合に限って回答領域に回答データを表示してもよい。
【０１００】
また、本動作ステップＳ１０４０において、情報広告表示システム３００は、回答データの表示または表示された回答データに対するサービスユーザのクリックと関連付けて広告主２３０に広告費を課金することができる。従って、本動作ステップＳ１０４０は、ＣＰＭやＣＰＣなどによって広告主２３０に広告費を課金する手順であり、情報広告表示システム３００は、得られる広告効果、例えば、サービスユーザ２２０が広告主２３０のウェブサイト／ショッピングモールサイトにアクセスする回数に比例して手ごろな広告費を広告主２３０に課金することができる。
【０１０１】
本発明の他の実施形態によれば、情報広告表示システム３００は、編集権限を購買した広告主２３０の回答データ、及び対応する質問データを情報検索サイト２１０以外の所定のサイトの検索領域に表示させることができる。例えば、情報広告表示システム３００は、質問データおよび回答データを含む情報文書を一般検索サイトの「検索コラム」に表示することができ、これによって、インターネットユーザ用の広告主２３０の広告情報を、情報検索カテゴリを含む多様なタイプのカテゴリに表示することができる。
【０１０２】
また、本発明によれば、広告情報に対応する質問及び回答を発展させ、質問及び回答をシステム運営者が最適に検査できる構造を生成することにより、広告性のある質問及び回答の登録乱発を防ぐことができる。
【０１０３】
また、本発明によれば、最も効果的な回答領域内の最上位の表示位置にシステム運営者によって検証された回答のみが表示されるようにでき、情報文書の品質を向上させることができる。
【０１０４】
また、本発明によれば、正式に購買した質問及び回答からなる情報文書に関する編集権限を選別された広告主２３０に割り当てることが可能となり、これによって、広告主２３０とサービスユーザとの間のコミュニケーション・ツールを提供し、良質の情報サービスが提供されるようにできる。また、本発明によれば、編集権限を購買した広告主２３０に一行回答領域に登録される各種広告性のある一行回答データを制御して管理できる編集権限を割り当てることにより、一行回答データの登録乱用を防ぐことができる。さらに、本発明によれば、正式に購買した質問及び回答を含む情報文書に多様な付加情報を提供できるようにし、サービスユーザ２２０が情報サービスを用いて好奇心を満足させ、進んで直接的な商取引や商品購買などにアクセスすることができる。なお、本発明に係る実施形態は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭのような光記録媒体、フロプティカルディスクのような磁気−光媒体、およびリード・オンリー・メモリ（ＲＯＭ）やランダム・アクセス・メモリ（ＲＡＭ）のようなプログラム命令を保存して実行するように特別に構成されたハードウェア装置が含まれる。プログラム命令の例としては、コンパイラによって生成されるような機械語コードだけでなく、インタプリタなどを用いてコンピュータによって実行され得る高級言語コードを含む。
【０１０５】
上述したように、本発明によれば、広告情報に対応する質問及び回答を発展させ、広告情報に対する質問及び回答をシステム運営者が最適に検査できる構造を生成することにより、広告性のある質問及び回答の登録乱発を防ぐことができる情報広告表示方法および情報広告表示システムを提供することができる。
【０１０６】
また、本発明によれば、最も効果が良い回答領域内の最上位の表示位置にシステム運営者によって検証された回答のみが表示されるようにでき、情報文書の品質を向上させることができる情報広告表示方法および情報広告表示システムを提供することができる。
【０１０７】
さらに、本発明によれば、正式に購買した質問及び回答を含む情報文書に対する編集権限を選別された広告主に割り当てることにより、広告主と情報サービスユーザとの間のコミュニケーション・ツールを提供し、良質の情報サービスが提供されるようにできる情報広告表示方法および情報広告表示システムを提供することができる。
【０１０８】
また、本発明によれば、編集権限を購買した広告主に一行回答領域に登録される各種広告性のある一行回答データを制御して管理できる権限を割り当てることにより、一行回答データの登録乱用を防ぐことができる情報広告表示方法および情報広告表示システムを提供することができる。
【０１０９】
また、本発明によれば、正式に購買した質問及び回答を含む情報文書に対する編集権限を選別された広告主に割り当てることにより、広告主と情報サービスユーザとの間のコミュニケーション・ツールを提供し、良質の情報サービスが提供されるようにできる情報広告表示方法および情報広告表示システムを提供することができる。
【０１１０】
本発明のいくつかの実施形態を参照して説明したが、本発明は、上記の実施形態に限定されるものではない。該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲およびその均等物に基づいて定められる。
【符号の説明】
【０１１１】
３００：情報広告表示システム
３１０：権限販売モジュール
３２０：質問−回答収集モジュール
３３０：データベース
３４０：文書検索モジュール
３５０：文書表示モジュール
３６０：課金モジュール
【図１】
2010517132.tif 000003
【図２】
2010517132.tif 000004
【図３】
2010517132.tif 000005
【図４】
2010517132.tif 000006
【図５】
2010517132.tif 000007
【図６】
2010517132.tif 000008
【図７】
2010517132.tif 000009
【図８】
2010517132.tif 000010
【図９】
2010517132.tif 000011
【図１０】
2010517132.tif 000012
【国際調査報告】
2010517132.tif 000013
2010517132.tif 000014